(57)【要約】【課題】椅子表面からの突出量を抑えることによって椅子の使用時における違和感や接触物への損傷などの不都合を解消しつつ、椅子から取り外す際には手軽に分解することができる椅子用リベット及び椅子を提供する。【解決手段】椅子用リベット１００は、リベット本体１１０とリベットピン１２０とを備えている。リベット本体１１０は、筒状の胴部１１１と胴部１１１の端部から張り出す傘部１１３とで構成されている。傘部１１３の外周部には、軸線方向外側および胴部１１１側に向かって細くなる本体テーパ面１１４および本体案内部１１５が形成されている。リベットピン１２０は、棒状のロッド部１２１とロッド部１２１の端部から張り出す頭部１２２とで構成されている。頭部１２２の外周部には、軸線方向外側およびロッド部１２１側に向かって細くなるピンテーパ面１２３およびピン案内部２４が形成されている。頭部１２２は、傘部１１３よりも薄く形成されている。【選択図】  図１
2014092235.tif 000002
【特許請求の範囲】
【請求項１】
筒状に形成された胴部における一方の端部に同胴部から張り出した傘部が形成されるとともに前記胴部における他方の端部に同胴部を外側に弾性変形させて広げるための切欠き部が設けられたリベット本体と、
前記リベット本体における前記胴部に挿入されるロッド部における一方の端部に同ロッド部から張り出した頭部が形成されたリベットピンとを備えた椅子用リベットにおいて、
前記リベット本体は、
前記傘部の外周部に軸線方向外側に向かって細くなる本体テーパ面が形成されるとともに同傘部の端面に前記リベットピンにおける前記頭部の外周部を露出させる平面状の載置面が形成されており、
前記リベットピンは、
前記頭部が前記傘部の厚さよりも薄い厚さでかつ前記傘部における前記載置面よりも小さな外形に形成されていることを特徴とする椅子用リベット。
【請求項２】
請求項１に記載した椅子用リベットにおいて、
前記リベットピンは、
前記頭部の外周部に前記ロッド部側に向かって細くなるピン案内部が形成されていることを特徴とする椅子用リベット。
【請求項３】
請求項１または請求項２に記載した椅子用リベットにおいて、
前記リベットピンは、
前記頭部が前記リベット本体の前記傘部における前記本体テーパ面の延長線よりも内側に納まる形状に形成されていることを特徴とする椅子用リベット。
【請求項４】
請求項１ないし請求項３のうちのいずれか１つに記載した椅子用リベットにおいて、
前記リベットピンは、
前記頭部の外周部に軸線方向外側に向かって細くなるピンテーパ面が形成されていることを特徴とする椅子用リベット。
【請求項５】
請求項１ないし請求項４のうちのいずれか１つに記載した椅子用リベットにおいて、
前記リベット本体は、
前記傘部の外周部に前記胴部側に向かって細くなる本体案内部が形成されていることを特徴とする椅子用リベット。
【請求項６】
人が着座するための座面と、
前記座面を支持するフレームとを備えた椅子であって、
前記座面が前記フレームに対して前記請求項１ないし前記請求項５のうちのいずれか１つに記載した椅子用リベットによって固定されていることを特徴とする椅子。
【発明の詳細な説明】
【技術分野】
【０００１】
本発明は、椅子を構成する板状の座板や背もたれをフレームに固定するための椅子用リベットおよびこの椅子用リベットを備えた椅子に関する。
【背景技術】
【０００２】
従来から、保育園、幼稚園、小学校、中学校および高等学校などの保育施設や学校施設においては、木製の座板や背もたれが金属製のフレームに固定された構成の椅子が広く用いられている。この場合、椅子は、木製の座板や背もたれと金属製のフレームとが金属製の椅子用リベットによって互いに固定されている。例えば、下記特許文献１には、筒状のリベット本体に対して圧入ピンが着脱自在に嵌合する構成のリベットが開示されている。
【先行技術文献】
【特許文献】
【０００３】
【特許文献１】特開２００４−１４７８９７号公報
【０００４】
しかしながら、上記特許文献１に示されたリベットにおいては、圧入ピンに専用工具を引っ掛けるための段部がリベット本体上に位置しているとともに圧入ピンの頭部がリベット本体によって覆われて構成されているため、椅子の表面からのリベット上部の突出量が多く、椅子の使用時において違和感を覚えることがあるとともに椅子の運搬時においてリベットへの接触物に損傷を与えることがあるという問題があった。また、上記特許文献１に示されたリベットにおいては、圧入ピンの引抜き作業には専用の工具が必要なため、リベットの分解作業を手軽に行うことができず制限されるという問題もあった。
【０００５】
本発明は上記問題に対処するためなされたもので、その目的は、椅子表面からの突出量を抑えることによって椅子の使用時における違和感や接触物への損傷などの不都合を解消しつつ、椅子から取り外す際には手軽に分解することができる椅子用リベット及び椅子を提供することにある。
【発明の概要】
【０００６】
上記目的を達成するため、本発明の特徴は、筒状に形成された胴部における一方の端部に同胴部から張り出した傘部が形成されるとともに胴部における他方の端部に同胴部を外側に弾性変形させて広げるための切欠き部が設けられたリベット本体と、リベット本体における胴部に挿入されるロッド部における一方の端部に同ロッド部から張り出した頭部が形成されたリベットピンとを備えた椅子用リベットにおいて、リベット本体は、傘部の外周部に軸線方向外側に向かって細くなる本体テーパ面が形成されるとともに同傘部の端面にリベットピンにおける頭部の外周部を露出させる平面状の載置面が形成されており、リベットピンは、頭部が傘部の厚さよりも薄い厚さでかつ傘部における載置面よりも小さな外形に形成されていることにある。
【０００７】
このように構成した本発明の特徴によれば、椅子用リベットは、リベットピンの頭部が傘部の厚さよりも薄い厚さで形成されるとともに、このリベットピンの頭部の下方に位置するリベット本体の傘部の外周部に本体テーパ面が形成されることにより、椅子表面からの突出量を抑えることができるとともに椅子表面から突出する部分（傘部より上の部分）の凹凸感を抑えて滑らかにすることができる。また、椅子用リベットは、リベット本体の傘部の端部に平面状の載置面が形成されるとともに、この載置面上に載置面よりも小さな外形のリベットピンの頭部全体が露出しているため、頭部を挟むことができるニッパなど引抜き用の工具を載置面上のリベットピンの頭部の周囲に配置して載置面と頭部との間に刃を挿し込むことにより容易にリベットピンのロッド部を挟持して引抜くことができる。これらの結果、椅子用リベットは、椅子の使用時における違和感や接触物の損傷などの不都合を解消しつつ、椅子から取り外す際に容易に分解することができる。
【０００８】
また、本発明の他の特徴は、前記椅子用リベットにおいて、リベットピンは、頭部の外周部にロッド部側に向かって細くなるピン案内部が形成されていることにある。
【０００９】
このように構成した本発明の他の特徴によれば、椅子用リベットは、リベットピンにおける頭部の外周部にロッド部側に向かって細くなるピン案内部が形成されているため、リベット本体の載置面とリベットピンの頭部との間に引抜き用の工具の刃を挿し込み易くなる。これにより、椅子用リベットは、リベットピンとリベット本体との分解作業がより容易となる。
【００１０】
また、本発明の他の特徴は、前記椅子用リベットにおいて、リベットピンは、頭部がリベット本体の傘部における本体テーパ面の延長線よりも内側に納まる形状に形成されていることにある。
【００１１】
このように構成した本発明の他の特徴によれば、椅子用リベットは、リベットピンにおける頭部がリベット本体の傘部における本体テーパ面の延長線よりも内側に納まる形状に形成されているため、椅子用リベットの椅子表面からの突出量を抑えることができるとともに椅子表面から突出する部分の凹凸感を抑えて滑らかにすることができる。これにより、椅子用リベットは、椅子の使用時における違和感や接触物の損傷などの不都合をより効果的に抑制することができる。
【００１２】
また、本発明の他の特徴は、前記椅子用リベットにおいて、リベットピンは、頭部の外周部に軸線方向外側に向かって細くなるピンテーパ面が形成されていることにある。
【００１３】
このように構成した本発明の他の特徴によれば、椅子用リベットは、リベットピンにおける頭部の外周部に軸線方向外側に向かって細くなるピンテーパ面が形成されているため、椅子用リベットの椅子表面からの突出量を抑えることができるとともに椅子表面から突出する部分の凹凸感を抑えて滑らかにすることができる。これにより、椅子用リベットは、椅子の使用時における違和感や接触物の損傷などの不都合をより効果的に抑制することができる。
【００１４】
また、本発明の他の特徴は、前記椅子用リベットにおいて、リベット本体は、傘部の外周部に胴部側に向かって細くなる本体案内部が形成されていることにある。
【００１５】
このように構成した本発明の他の特徴によれば、椅子用リベットは、リベット本体における傘部の外周部に胴部側に向かって細くなる本体案内部が形成されているため、ニッパなどの引抜き用の工具を椅子表面上のリベット本体の傘部の周囲に配置して椅子表面と傘部との間に刃を挿し込むことにより容易にリベット本体の胴部を挟持して引抜くことができる。これにより、椅子用リベットは、椅子から容易に取り外すことができる。
【００１６】
また、本発明は、椅子用リベットの発明として実施できるばかりでなく、この椅子用リベットを用いた椅子の発明としても実施できるものである。
【００１７】
具体的には、人が着座するための座面と、座面を支持するフレームとを備えた椅子であって、座面がフレームに対して前記請求項１ないし前記請求項５のうちのいずれか１つに記載した椅子用リベットによって固定されているとよい。
【００１８】
これによれば、椅子は、前記椅子用リベットと同様の作用効果を期待することができる。
【図面の簡単な説明】
【００１９】
【図１】本発明の一実施形態に係る椅子用リベットの外観構成および内部構成をそれぞれ概略的に示す一部破断断面図である。
【図２】本発明に係る椅子用リベットの外観構成を概略的に示す平面図である。
【図３】本発明に係る椅子用リベットの外観構成を概略的に示す底面図である。
【図４】図１に示す椅子用リベットによって板部材とフレームとを固定した状態における外観構成および内部構成をそれぞれ概略的に示す一部破断断面図である。
【図５】図１に示す椅子用リベットを用いて構成される椅子の分解斜視図である。
【発明を実施するための形態】
【００２０】
以下、本発明に係る椅子用リベット１００の一実施形態について図面を参照しながら説明する。図１は、本発明に係る椅子用リベット１００の外観構成および内部構成をそれぞれ概略的に示す一部破断断面図である。また、図２は、本発明に係る椅子用リベット１００の外観構成を概略的に示す平面図である。また、図３は、本発明に係る椅子用リベット１００の外観構成を概略的に示す底面図である。また、図４は、図１に示す椅子用リベット１００によって板部材９１とフレーム９２とを固定した状態における外観構成および内部構成をそれぞれ概略的に示す一部破断断面図である。また、図５は、図１に示す椅子用リベット１００を用いて構成される椅子の分解斜視図である。なお、本明細書において参照する各図は、本発明の理解を容易にするために一部の構成要素を誇張して表わすなど模式的に表していることがあるため、各構成要素間の寸法や比率などは異なっていることがある。
【００２１】
この椅子用リベット１００は、保育施設や学校施設において用いられる椅子９０における木製の座板９１ａや背もたれ９１ａなどの板部材９１を金属製の板材、棒材またはパイプ材からなる骨組みを構成するフレーム９２に固定するための締結部品である。
【００２２】
（椅子用リベットの構成）
椅子用リベット１００は、主として、リベット本体１１０とリベットピン１２０とで構成されている。リベット本体１１０は、この椅子用リベット１００によって互いに固定される板部材９１とフレーム９２とを貫通した状態で配置される部材であり、金属材料を円筒状に形成して構成されている。このリベット本体１１０は、主として、胴部１１１と傘部１１３とで構成されている。
【００２３】
胴部１１１は、リベットピン１２０におけるロッド部１２１が挿入された状態で板部材９１およびフレーム９２内に配置される部分であり、板部材９１およびフレーム９２の厚さ以上の長さの円筒状に形成されている。この胴部１１１の外周部は、板部材９１およびフレーム９２に予め形成された貫通孔状の下穴９３に摺動接触する一定の外径に形成されるとともに、外周部における下端部の外径が徐々に細く形成されて板部材９１およびフレーム９２内に挿し込み易く構成されている。一方、胴部１１１の内部は、ロッド部１２１が抜き差し可能な内径に形成されたストレート部１１１ａと、胴部１１１の下端部側の内径が徐々に小径化してロッド部１２１の外径よりも小さく形成された小径部１１１ｂとで構成されている。
【００２４】
切欠き部１１２は、胴部１１１における下端部側を外側に弾性変形させるための溝であり、胴部１１１における図示下端部から傘部１１３側に向かって延びて形成されている。この場合、切欠き部１１２は、胴部１１１を底面視において４等分する十字状に形成されている。すなわち、切欠き部１１２は、所謂スリワリである。
【００２５】
傘部１１３は、リベット本体１１０を板部材９１上に引っ掛ける部分であり、胴部１１１の上端部からフランジ状に張り出した略円盤リング状に形成されている。この場合、傘部１１３は、板部材９１とフレーム９２とを固定した際に生じる軸線方向の力に耐え得る最小限の厚さおよび外径に形成されている。具体的には、傘部１１３の厚さは０.５ｍｍ以上かつ３.０ｍｍ以下、外径は６ｍｍ以上かつ１５.０ｍｍ以下に設定することが好適である。
【００２６】
この傘部１１３には、外周部に本体テーパ面１１４および本体案内部１１５がそれぞれ形成されている。本体テーパ面１１４は、板部材９１上からの傘部１１３の張り出し感を緩和するための部分であり、傘部１１３の外周部が軸線方向に外側に向かって徐々に小径化する曲面状に形成されている。本実施形態においては、本体テーパ面１１４は、半径が１２.７ｍｍの曲面で構成されている。
【００２７】
また、本体案内部１１５は、板部材９１と傘部１１３との間に引抜き用工具の刃部Ｅを挿し込み易くするための部分であり、傘部１１３の外周部が胴部１１１側に向かって徐々に小径化する曲面状に形成されている。本実施形態においては、本体案内部１１５は、半径が０.２ｍｍの曲面で構成されている。
【００２８】
また、傘部１１３における図示上端面には、載置面１１６が形成されている。載置面１１６は、リベットピン１２０における頭部１２２を頭部１２２の側面および上面の全体を露出させた状態で載置させる部分であり、平面状に形成されている。この載置面１１６は、リベットピン１２０における頭部１２２の外周部から張り出す大きさに形成されている。この場合、載置面１１６は、頭部１２２の外周部から０.１ｍｍ以上かつ３.０ｍｍ以内の大きさで張り出す大きさが好適である。
【００２９】
リベットピン１２０は、前記リベット本体１１０内に挿し込まれる部材であり、金属材料を棒状に形成して構成されている。このリベットピン１２０は、主として、ロッド部１２１および頭部１２２によって構成されている。ロッド部１２１は、リベット本体１１０における胴部１１１の内部であるストレート部１１１ａおよび小径部１１１ｂ内にそれぞれ挿入される部分であり、リベット本体１１０よりも長い長さの丸棒状に形成されている。このロッド部１２１における外周部は、胴部１１１のストレート部１１１ａに摺動接触する一定の外径に形成されるとともに、外周部における下端部の外径が徐々に細く形成されてストレート部１１１ａおよび小径部１１１ｂ内に挿し込み易く構成されている。
【００３０】
頭部１２２は、リベットピン１２０をリベット本体１１０における傘部１１３に引っ掛ける部分であり、ロッド部１２１の上端部からフランジ状に張り出した略円盤状に形成されている。この頭部１２２は、この頭部１２２に接触する接触物、例えば、人手、ネスティング時の椅子９０または椅子９０の梱包部材に対して違和感や損傷を与えない程度の突出量、すなわち厚さ、具体的には傘部１１３の厚さよりも薄い厚さで形成されている。本実施形態においては、頭部１２２は、０.７ｍｍの厚さに形成されるとともに傘部１１３における本体テーパ面１１４の延長線Ｌより内側に納まる厚さに形成されている。この頭部１２２の厚さは、傘部１１３の厚さの半分以下の厚さが好適である。
【００３１】
また、頭部１２２は、外径が傘部１１３における載置面１１６よりも小径に形成されるとともに、外周部にピンテーパ面１２３およびピン案内部１２４がそれぞれ形成されている。ピンテーパ面１２３は、傘部１１３上からの頭部１２２の張り出し感を緩和するための部分であり、頭部１２２の外周部が軸線方向に外側に向かって徐々に小径化する曲面状に形成されている。本実施形態においては、ピンテーパ面１２３は、半径が１２.７ｍｍの曲面で構成されている。そして、頭部１２２における図示上端面は、頭部１２２の傘部１１３上からの張り出し感を緩和するため平面状に形成されている。
【００３２】
また、ピン案内部１２４は、傘部１１３の載置面１１６と頭部１２２との間に引抜き用工具の刃部Ｅを挿し込み易くするための部分であり、頭部１２２の外周部がロッド部１２１側に向かって徐々に小径化する曲面状に形成されている。本実施形態においては、ピン案内部１２４は、半径が０.１ｍｍの曲面で構成されている。
【００３３】
（椅子用リベット１００の作動）
次に、このように構成された椅子用リベット１００の作動について説明する。まず、ユーザは、椅子９０を構成する板部材９１およびフレーム９２とともに椅子用リベット１００を用意する。この場合、椅子用リベット１００は、リベット本体１１０とリベットピン１２０とが容易に分離しない程度の弱い接着力を有する接着剤によって仮固定された状態で用意される。次、ユーザは、板部材９１をフレーム９２上における所定の位置に位置決めした後、板部材９１およびフレーム９２にそれぞれ予め形成された下穴９３を介して椅子用リベット１００を取り付ける。
【００３４】
具体的には、ユーザは、リベットピン１２０が仮固定されたリベット本体１１０を下穴９３内に挿入した後、胴部１１１内にリベットピン１２０におけるロッド部１２１を押し込む。この場合、ユーザは、リベットピン１２０をリベット本体１１０に対して打ち込むことにより、リベットピン１２０の頭部１２２をリベット本体１１０の傘部１１３上、すなわち、載置面１１６上に密着させる。これにより、椅子用リベット１００は、リベット本体１１０における胴部１１１の下端部側がリベットピン１２０のロッド部１２１に押されて外側に弾性変形して広がることにより板部材９１をフレーム９２に固定することができる。
【００３５】
ユーザは、板部材９１とフレーム９２とにおける各下穴９３に対してそれぞれ椅子用リベット１００を用いて互いに固定することにより椅子９０を完成させる。そして、このように完成させた椅子９０の使用や運搬に際しては、椅子リベット１００は、リベットピン１２０の頭部１２２が傘部１１３の厚さよりも薄い厚さで形成されるとともに、傘部１１３および頭部１２２の各外周面に曲面状の本体テーパ面１１４およびピンテーパ面１２３がそれぞれ形成されることにより、椅子９０の表面からの椅子用リベット１００の突出量および凹凸感を抑えることができる。
【００３６】
次に、椅子９０のメンテナンス時になどにおいて板部材９１をフレーム９２から分離する場合においては、ユーザは、板部材９１およびフレーム９２から椅子用リベット１００を除去する。具体的には、ユーザは、一般的なニッパからなる引抜き用工具を用意した後、板部材９１上におけるリベット本体１１０の傘部１１３とリベットピン１２０の頭部１２２との間に引抜き用工具の刃Ｅを挿し込む。この場合、ユーザは、リベットピン１２０の頭部１２２が載置される載置面１１６が頭部１２２の外周部から張り出して形成されているため、引抜き用工具の刃Ｅを載置面１１６に安定的に載置して頭部１２２に位置決めできる。また、ユーザは、リベットピン１２０の頭部１２２におけるロッド部１２１側にピン案内部１２４が形成されているため、引抜き用工具の刃Ｅを容易に傘部１１３と頭部１２２との間に挿し込むことができる。また、ユーザは、頭部１２２の側面および上面が載置面１１６上において露出しているため、頭部１２２の全周の任意の向きから引抜き用工具の刃Ｅを当てがって挟むことができ作業性が行い易い。
【００３７】
次に、ユーザは、引抜き用工具によってリベットピン１２０におけるロッド部１２１を挟持した後、引抜き用工具を操作することによりリベットピン１２０のロッド部１２１をリベット本体１１０の胴部１１１内から引抜く。これにより、椅子用リベット１００は、板部材９１およびフレーム９２内に配置されたリベット本体１１０における胴部１１１の外周部の外側への弾性変形が解消される。したがって、ユーザは、引抜き用工具の刃Ｅを板部材９１とリベット本体１１０における傘部１１３との間に挿し込んで胴部１１１を挟持して下穴９３内から引抜くことにより、リベット本体１１０を板部材９１およびフレーム９２から除去することができる。この場合においても、ユーザは、リベット本体１１０の傘部１１３における胴部１１１側に本体案内部１１５が形成されているため、引抜き用工具の刃Ｅを容易に板部材９１と傘部１１３との間に挿し込むことができる。
【００３８】
そして、ユーザは、板部材９１とフレーム９２とを固定する他の椅子用リベット１００を同様の手順で取り除くことにより、板部材９１をフレーム９２から分離することができる。この後、ユーザは、板部材９１およびフレーム９２から除去した使用済みの椅子用リベット１００を廃棄される。
【００３９】
上記作動説明からも理解できるように、上記実施形態によれば、椅子用リベット１００は、リベットピン１２０の頭部１２２が傘部１１３の厚さよりも薄い厚さで形成されるとともに、このリベットピン１２０の頭部１２２の下方に位置するリベット本体１１０の傘部１１３の外周部に本体テーパ面１１４が形成されることにより、椅子９０の表面からの突出量を抑えることができるとともに椅子９０の表面から突出する部分の凹凸感を抑えて滑らかにすることができる。また、椅子用リベット１００は、リベット本体１１０の傘部１１３の端部に平面状の載置面１１６が形成されるとともに、この載置面１１６上に載置面１１６よりも小さな外形のリベットピン１２０の頭部１２２全体が露出しているため、引抜き用工具を載置面１１６上のリベットピン１２０の頭部１２２の周囲に配置して載置面１１６と頭部１２２との間に刃Ｅを挿し込むことにより容易にリベットピン１２０のロッド部１２１を挟持して引抜くことができる。これらの結果、椅子用リベット１００は、椅子９０の使用時における違和感や接触物の損傷などの不都合を解消しつつ、椅子９０から取り外す際に容易に分解することができる。
【００４０】
さらに、本発明の実施にあたっては、上記実施形態に限定されるものではなく、本発明の目的を逸脱しない限りにおいて種々の変更が可能である。
【００４１】
例えば、上記実施形態においては、リベット本体１１０の傘部１１３およびリベットピン１２０の頭部１２２の各外周面に曲面状の本体テーパ面１１４およびピンテーパ面１２３をそれぞれ形成した。しかし、本体テーパ面１１４およびピンテーパ面１２３は、リベット本体１１０およびリベットピン１２０の各軸線方向外側に向かって細くなるテーパ形状に形成されていれば、必ずしも上記実施形態に限定されるものではない。従って、本体テーパ面１１４およびピンテーパ面１２３は、リベット本体１１０およびリベットピン１２０の各軸線方向外側に向かって直線状に細くなる円錐状のテーパ形状に形成することもできる。
【００４２】
また、上記実施形態においては、リベットピン１２０における頭部１２２の外周面上にピンテーパ面１２３を形成した。しかし、リベットピン１２０の頭部１２２は、リベット本体１１０における傘部１１３に対して大きさが十分に小さいため、ピンテーパ面１２３を省略することもできる。すなわち、リベットピン１２０における頭部１２２は、例えば、円柱や四角柱などの柱状に形成することもできる。また、リベットピン１２０における頭部１２２の上端面についても、必ずしも平坦面である必要はなく、例えば、曲面で構成されていてもよい。また、リベットピン１２０の頭部１２２にピンテーパ面１２３を形成する場合においては、ピンテーパ面１２３を本体テーパ面１１４と同一の曲面や錐面に形成することができる。この場合、椅子用リベット１００は、リベット本体１１０における載置面１１６と外径と載置面１１６に接する頭部１２２の外径を一致させることにより傘部１１３と頭部１２２とをより滑らかに繋ぐこともできる。
【００４３】
また、上記実施形態においては、リベットピン１２０における頭部１２２は、リベット本体１１０における傘部１１３の本体テーパ面１１４の延長線Ｌよりも内側に納まる形状に構成した。これにより、椅子９０の板部材９１上に存在する頭部１２２の凹凸感や接触物への損傷を抑えることができる。しかし、リベットピン１２０の頭部１２２は、リベット本体１１０における傘部１１３に対して大きさが十分に小さいため、傘部１１３の本体テーパ面１１４の延長線Ｌよりも外側にはみ出す形状であってもよい。なお、本体テーパ面１１４を曲面に形成する場合において、本体テーパ面１１４の延長線Ｌが１つの共通の曲線、換言すれば、本体テーパ面１１４が延長部分を含めて連続する１つの曲面を形成してもよいが、上記実施形態のように、必ずしも一つの共通の曲線である必要はない（図４参照）。
【００４４】
また、上記実施形態においては、リベット本体１１０の傘部１１３およびリベットピン１２０の頭部１２２の各外周面に曲面状の本体案内部１１５およびピン案内部１２４をそれぞれ形成した。しかし、本体案内部１１５およびピン案内部１２４は、リベット本体１１０およびリベットピン１２０における胴部１１１側およびロッド部１２１側に向かって細くなるテーパ形状に形成されていれば、必ずしも上記実施形態に限定されるものではない。従って、本体案内部１１５およびピン案内部１２４は、リベット本体１１０およびリベットピン１２０における胴部１１１側およびロッド部１２１側に向かってそれぞれ直線状に細くなる円錐状のテーパ形状に形成することもできる。また、リベット本体１１０の傘部１１３およびリベットピン１２０の頭部１２２は、本体案内部１１５およびピン案内部１２４をそれぞれ省略、すなわち、これらの各部を例えば、直角に形成して構成することもできる。
【００４５】
また、上記実施形態においては、椅子用リベット１００は、金属材料で構成した。しかし、椅子用リベット１００は、椅子９０を構成する板部材９１とフレーム９２とを互いに固定することができれば、必ずしも上記実施形態に限定されるものではない。したがって、椅子用リベット１００は、例えば、金属材料に代えてまたは加えて樹脂材料で構成することもできる。この場合、椅子用リベット１００は、リベット本体１１０とリベットピン１２０とを互いに異なる材料で構成することができる。すなわち、椅子用リベット１００は、リベット本体１１０を金属材料または樹脂材料で構成するとともに、リベットピン１２０を樹脂材料または金属材料で構成することができる。このように、互いに異なる強度の異種材料で構成することにより引抜き工具による挟持作業が行い易くなる。
【００４６】
また、上記実施形態においては、椅子用リベット１００を保育施設や学校施設において用いられる椅子９０に採用した。しかし、椅子用リベット１００は、椅子を構成する部材同士を固定するために用いられれば、上記実施形態に限定されるものでないことは当然である。例えば、椅子用リベット１００は、事務作業用の椅子、工場作業用の椅子、病院などで使用される椅子または会議用の椅子など広範な種類の椅子に用いることができる。また、椅子９０を構成する部材の材質についても、木材や金属に限定されるものではなく、樹脂材など他の材料を用いることができることは当然である。
【符号の説明】
【００４７】
Ｅ…引抜き用工具の刃、Ｌ…本体テーパ面の延長線、
９０…椅子、９１…板部材、９１ａ…座面、９１ｂ…背もたれ、９２…フレーム、９３…下穴、
１００…椅子用リベット、
１１０…リベット本体、１１１…胴部、１１１ａ…ストレート部、１１１ｂ…小径部、１１２…切欠き部、１１３…傘部、１１４…本体テーパ面、１１５…本体案内部、１１６…載置面、
１２０…リベットピン、１２１…ロッド部、１２２…頭部、１２３…ピンテーパ面、１２４…ピン案内部。
【図１】
2014092235.tif 000003
【図２】
2014092235.tif 000004
【図３】
2014092235.tif 000005
【図４】
2014092235.tif 000006
【図５】
2014092235.tif 000007
【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
筒状に形成された胴部における一方の端部に同胴部から張り出した傘部が形成されるとともに前記胴部における他方の端部に同胴部を外側に弾性変形させて広げるための切欠き部が設けられたリベット本体と、
前記リベット本体における前記胴部に挿入されるロッド部における一方の端部に同ロッド部から張り出した頭部が形成されたリベットピンとを備えた椅子用リベットにおいて、
前記リベット本体は、
前記傘部の外周部に軸線方向外側に向かって細くなる本体テーパ面が形成されるとともに同傘部の端面に前記リベットピンにおける前記頭部の外周部を露出させる平面状の載置面が形成されており、
前記リベットピンは、
前記頭部が前記傘部の厚さよりも薄い厚さでかつ前記傘部における前記載置面よりも小さな外形に形成されているとともに、前記頭部が前記リベット本体の前記傘部における前記本体テーパ面の延長線よりも内側に納まる形状に形成されていることを特徴とする椅子用リベット。
【請求項２】
請求項１に記載した椅子用リベットにおいて、
前記リベットピンは、
前記頭部の外周部に前記ロッド部側に向かって細くなるピン案内部が形成されていることを特徴とする椅子用リベット。
【請求項３】
請求項１または請求項２に記載した椅子用リベットにおいて、
前記リベットピンは、
前記頭部の外周部に軸線方向外側に向かって細くなるピンテーパ面が形成されていることを特徴とする椅子用リベット。
【請求項４】
請求項１ないし請求項３のうちのいずれか１つに記載した椅子用リベットにおいて、
前記リベット本体は、
前記傘部の外周部に前記胴部側に向かって細くなる本体案内部が形成されていることを特徴とする椅子用リベット。
【請求項５】
人が着座するための座面と、
前記座面を支持するフレームとを備えた椅子であって、
前記座面が前記フレームに対して前記請求項１ないし前記請求項４のうちのいずれか１つに記載した椅子用リベットによって固定されていることを特徴とする椅子。
【手続補正２】
【補正対象書類名】明細書
【補正対象項目名】０００６
【補正方法】変更
【補正の内容】
【０００６】
上記目的を達成するため、本発明の特徴は、筒状に形成された胴部における一方の端部に同胴部から張り出した傘部が形成されるとともに胴部における他方の端部に同胴部を外側に弾性変形させて広げるための切欠き部が設けられたリベット本体と、リベット本体における胴部に挿入されるロッド部における一方の端部に同ロッド部から張り出した頭部が形成されたリベットピンとを備えた椅子用リベットにおいて、リベット本体は、傘部の外周部に軸線方向外側に向かって細くなる本体テーパ面が形成されるとともに同傘部の端面にリベットピンにおける頭部の外周部を露出させる平面状の載置面が形成されており、リベットピンは、頭部が傘部の厚さよりも薄い厚さでかつ傘部における載置面よりも小さな外形に形成されているとともに、頭部がリベット本体の傘部における本体テーパ面の延長線よりも内側に納まる形状に形成されていることにある。
【手続補正３】
【補正対象書類名】明細書
【補正対象項目名】０００７
【補正方法】変更
【補正の内容】
【０００７】
このように構成した本発明の特徴によれば、椅子用リベットは、リベットピンの頭部が傘部の厚さよりも薄い厚さで形成されるとともに、このリベットピンの頭部の下方に位置するリベット本体の傘部の外周部に本体テーパ面が形成されることにより、椅子表面からの突出量を抑えることができるとともに椅子表面から突出する部分（傘部より上の部分）の凹凸感を抑えて滑らかにすることができる。また、椅子用リベットは、リベット本体の傘部の端部に平面状の載置面が形成されるとともに、この載置面上に載置面よりも小さな外形のリベットピンの頭部全体が露出しているため、頭部を挟むことができるニッパなどの引抜き用の工具を載置面上のリベットピンの頭部の周囲に配置して載置面と頭部との間に刃を挿し込むことにより容易にリベットピンのロッド部を挟持して引抜くことができる。これらの結果、椅子用リベットは、椅子の使用時における違和感や接触物の損傷などの不都合を解消しつつ、椅子から取り外す際に容易に分解することができる。
【手続補正４】
【補正対象書類名】明細書
【補正対象項目名】０００８
【補正方法】変更
【補正の内容】
【０００８】
また、本発明の他の特徴は、前記椅子用リベットにおいて、リベットピンは、頭部がリベット本体の傘部における本体テーパ面の延長線よりも内側に納まる形状に形成されていることにある。
【手続補正５】
【補正対象書類名】明細書
【補正対象項目名】０００９
【補正方法】変更
【補正の内容】
【０００９】
このように構成した本発明の他の特徴によれば、椅子用リベットは、リベットピンにおける頭部がリベット本体の傘部における本体テーパ面の延長線よりも内側に納まる形状に形成されているため、椅子用リベットの椅子表面からの突出量を抑えることができるとともに椅子表面から突出する部分の凹凸感を抑えて滑らかにすることができる。これにより、椅子用リベットは、椅子の使用時における違和感や接触物の損傷などの不都合をより効果的に抑制することができる。
【手続補正６】
【補正対象書類名】明細書
【補正対象項目名】００１０
【補正方法】変更
【補正の内容】
【００１０】
また、本発明の他の特徴は、前記椅子用リベットにおいて、リベットピンは、頭部の外周部にロッド部側に向かって細くなるピン案内部が形成されていることにある。
【手続補正７】
【補正対象書類名】明細書
【補正対象項目名】００１１
【補正方法】変更
【補正の内容】
【００１１】
このように構成した本発明の他の特徴によれば、椅子用リベットは、リベットピンにおける頭部の外周部にロッド部側に向かって細くなるピン案内部が形成されているため、リベット本体の載置面とリベットピンの頭部との間に引抜き用の工具の刃を挿し込み易くなる。これにより、椅子用リベットは、リベットピンとリベット本体との分解作業がより容易となる。